(57)【要約】【課題】押し込み部を指で押すだけの簡単な操作により、ワンタッチで包装箱を平坦に畳み、平坦な折り畳み状態を維持することができる包装箱を提供する。【解決手段】一つの側面１６には互いに異なる方向に膨出する折れ線又は曲線で設けられた指押し込み用破断線４８を備える。側面１６の対角線に位置する一対の角部に、指押し込み用破断線４８の端部に各々連続する一対の廃棄用破断線５４，５８を備える。廃棄用破断線５４，５８が位置する角部以外の対角線に位置する一対の角部に、角度を２等分する一対の廃棄用折曲線５６，６０を備える。指押し込み用破断線４８の一対の内側の押込部５０，５２を押し込むと、指押し込み用破断線４８と廃棄用破断線５４，５８が切断されて、側面１６が分割される。分割した側面１６をさらに廃棄用折曲線５６，６０で二つ折りして折り畳み、折り畳み状態で、一対の押込部５０，５２が互いに係止して、折り畳み状態を維持する。【選択図】図２
0003199816.tif 000002
【実用新案登録請求の範囲】
【請求項１】
一枚のブランクシートから一体的に打ち抜かれた箱体形成片から成り、この箱体形成片には互いに連接された側面が設けられ、前記側面の１つには、互いに異なる方向に膨出する折れ線又は曲線で設けられた指押し込み用破断線と、
前記側面の対角線に位置する一対の角部に設けられ前記指押し込み用破断線の端部に各々連続する一対の廃棄用破断線と、
前記廃棄用破断線が位置する角部以外の前記側面の対角線に位置する一対の角部に設けられ角度を２等分する一対の廃棄用折曲線が設けられ、
前記指押し込み用破断線の一対の膨出部の内側は各々押込部となり、前記押込部を押すと前記指押し込み用破断線と前記一対の廃棄用破断線が切断されて前記側面が分割され、分割した側面をさらに廃棄用折曲線で二つ折りして折り畳み、折り畳み状態で、前記指押し込み用破断線を切断した後に突起状に切り残された前記一対の押込部が互いに係止して、折り畳み状態を維持することを特徴とする包装箱。
【請求項２】
前記指押し込み用破断線は曲線で形成され、変曲点を中心部とする略Ｓ字形であり、前記廃棄用破断線が位置する前記側面の中心部を中心とする点対称形状である請求項１記載の包装箱。
【請求項３】
前記側面は一方向が長い矩形であり、長辺が前記指押し込み用破断線のＳ字の縦方向に対して略平行で、短辺はＳ字の縦方向に対して略直角であり、前記指押し込み用破断線の一対の端部同士の間隔は、前記短辺の長さとほぼ等しく、前記包装箱の折り畳み状態では、前記一対の押込部は前記指押し込み用破断線の端部に位置していた端面同士が前記短辺の長さ分互いに近づいて通過し、前記指押し込み用破断線の前記端部に位置していた端面同士が互いに対面し、この端面は前記包装箱が折り畳み状態から元の形状に戻る方向に交差し、前記箱体形成片の弾発力により前記包装箱が元の形状に戻る方向に付勢されて前記端面同士が押し付けられる請求項１又は２記載の包装箱。
【請求項４】
前記廃棄用折曲線は、短い切込線が比較的長い所定間隔で並べられたミシン線で形成され、二つ折りした時に反発を生むように設定されている請求項１記載の包装箱。
【請求項５】
前記指押し込み用破断線または前記廃棄用破断線には切り残し部が位置し、指押し込み用破断線と前記廃棄用破断線を切断した時に切り残し部の跡である小さい突起が前記押込部から突出して形成される請求項１記載の包装箱。
【考案の詳細な説明】
【技術分野】
【０００１】
この考案は、廃棄用の切込線が設けられている易廃棄機能付の包装箱に関する。
【背景技術】
【０００２】
従来、商品を収納する包装箱に、使用が終わった時に折り畳んで廃棄するための切込線が設けられた易廃棄機能付の包装箱がある。例えば、特許文献１の段ボール箱は、底板に、段ボールを肉厚方向に貫通する略偏平Ｈ字状のミシン目が付けられている。この段ボール箱を使用後に破棄するときは、段ボール箱を逆さにし、底板の略中央部を手で押す。あるいは叩く等によって、所定値以上の荷重を上方から下方に作用させる。これによりミシン目が切断され底板が分割されることにより段ボール箱の折り畳みが可能となり、平坦に折り畳んで容易に破棄することができる。
【０００３】
また、特許文献２の易廃棄性紙容器は、底板の中央にミシン目線による指押し込み部を設け、その指押し込み部から底板の四隅に斜めに延びるミシン目線を設け、さらに、底板に隣接する左右の側板の上端左右の隅より前記の底板に設けた指押し込み部の中心に向けて斜めの折り目線を設けたものである。使用後に破棄するときは、底板を上にし、両手の親指を指押し込み部に突っ込んでＳ字形のミシン目線を破る。さらに、親指を指押し込み部に突っ込んだまま左右に紙容器を押し開くと、底板の四隅に放射線状に延びるミシン目線が破れ、同時に左右の側板に設けた斜めの折り目線によって２つの端フラップ貼着閉鎖部が内側に倒れ込んで潰れ、平面状に折り畳むものである。
【先行技術文献】
【特許文献】
【０００４】
【特許文献１】特開平１０−２９７６２６号公報
【特許文献２】特開平５−３２２５１号公報
【考案の概要】
【考案が解決しようとする課題】
【０００５】
上記背景技術の場合、廃棄した後に折り畳んだ状態から、箱体形成片の折り目の弾発力で折り線部分が開いて側面が浮き上がり、隙間が生じて厚くなり、かさばって廃棄しにくいものである。特に、複数個の包装箱を重ねて廃棄する場合は、上から押さえつけて平坦に戻す等の手間がかかり、作業性が悪いものであった。
【０００６】
この考案は、上記背景技術の問題点に鑑みてなされたものであり、押し込み部を指で押すだけの簡単な操作によりワンタッチで包装箱を平坦に畳み、平坦な折り畳み状態を維持することができる包装箱を提供することを目的とする。
【課題を解決するための手段】
【０００７】
本考案は、一枚のブランクシートから一体的に打ち抜かれた箱体形成片から成る包装箱であり、この箱体形成片には互いに連接された側面が設けられ、前記側面の１つには、互いに異なる方向に膨出する折れ線又は曲線で設けられた指押し込み用破断線と、
前記側面の対角線に位置する一対の角部に設けられ前記指押し込み用破断線の端部に各々連続する一対の廃棄用破断線と、
前記廃棄用破断線が位置する角部以外の前記側面の対角線に位置する一対の角部に設けられ角度を２等分する一対の廃棄用折曲線が設けられ、
前記指押し込み用破断線の一対の膨出部の内側は各々押込部となり、前記押込部を押すと前記指押し込み用破断線と前記一対の廃棄用破断線が切断されて前記側面が分割し、分割した側面をさらに廃棄用折曲線で二つ折りして折り畳み、折り畳み状態では、前記指押し込み用破断線を切断した後に突起状に切り残された前記一対の押込部が互いに係止して、折り畳み状態を維持するものである。
【０００８】
前記指押し込み用破断線は曲線で形成され、変曲点を中心部とする略Ｓ字形であり、前記廃棄用破断線が位置する前記側面の中心部を中心とする点対称形状である。
【０００９】
前記側面は一方向が長い矩形であり、長辺が前記指押し込み用破断線のＳ字の縦方向に対して略平行で、短辺はＳ字の縦方向に対して略直角であり、前記指押し込み用破断線の一対の端部同士の間隔は、前記短辺の長さとほぼ等しく、前記包装箱の折り畳み状態では、前記一対の押込部は前記指押し込み用破断線の端部に位置していた端面同士が前記短辺の長さ分互いに近づいて通過し、前記指押し込み用破断線の前記端部に位置していた端面同士が互いに対面し、この端面は前記包装箱が折り畳み状態から元の形状に戻る方向に交差し、前記箱体形成片の弾発力により前記包装箱が元の形状に戻る方向に付勢されて前記端面同士が押し付けられる。
【００１０】
前記廃棄用折曲線は、短い切込線が比較的長い所定間隔で並べられたミシン線で形成され、二つ折りした時に反発を生むように設定され、前記包装箱が元の形状に戻る方向に付勢する。
【００１１】
前記指押し込み用破断線または前記廃棄用破断線には切り残し部が位置し、指押し込み用破断線と前記廃棄用破断線を切断した時に切り残し部の跡である小さい突起が前記押込部から突出して形成され、この突起同士が係合し確実に係止される。
【考案の効果】
【００１２】
本考案の包装箱は、押し込み部を指で押すだけの簡単な操作によりワンタッチで包装箱を平坦に畳み、弱い力でも短時間できれいに畳むことができる。また、平坦な折り畳み状態を維持することができ、廃棄処分や資源回収をする場合の搬送処理も容易に行うことができる。
【図面の簡単な説明】
【００１３】
【図１】この考案の一実施形態の包装箱の斜視図である。
【図２】この実施形態の包装箱の破棄する動作を示す斜視図である。
【図３】この実施形態の包装箱の破棄する状態を示す斜視図である。
【図４】この実施形態の包装箱の展開図である。
【考案を実施するための形態】
【００１４】
以下、この考案の実施形態について図面に基づいて説明する。図１〜図４はこの考案の第一実施形態を示すもので、この実施形態の包装箱１０は、紙製の一枚のブランクシートを打ち抜いて形成された箱体形成片１２を組み立てて設けられている。図４は、箱体形成片１２を表面から見た展開図であり、箱体形成片１２は、側面１４，１６，１８，２０が、互いに平行に連接して形成されている。側面１４，１６，１８，２０は、連接している幅方向はほぼ同じ長さであり、連接方向の長さは、側面１４，１８が長くて互いにほぼ等しく、側面１６，２０はそれよりも少し短くて互いにほぼ等しい。さらに、側面２０の側縁部には、包装箱１０の組立状態で側面１４の表面に糊付けされる糊付片２２が設けられている。側面１４，１６，１８，２０、糊付片２２は、各々折罫線２４，２６，２８，３０で区切られている。折罫線２８には、切断可能な切込線が設けられている。
【００１５】
側面１４の、側面どうしの連接方向に対して直角な方向の一端部には、包装箱１０の組立状態で後述する端面４０の裏面に糊付けされる矩形の糊付片３２が折罫線３４で区切られて設けられている。側面１４の、折罫線３４と反対側の端部にも、包装箱１０の組立状態で後述する端面６２の裏面に糊付けされる矩形の糊付片３６が折罫線３８で区切られて設けられている。
【００１６】
側面１６の、側面１４の折罫線３４に隣接する端部には、矩形の端面４０が折罫線４２で区切られて設けられている。端面４０の、折罫線４２と反対側の端部には、さらにフラップ４４が折罫線４６で区切られて設けられている。側面１６の、折罫線４２と反対側の端部にも、矩形の端面６２が折罫線６４で区切られて設けられている。端面６２の、折罫線６４と反対側の端部には、さらにフラップ６６が折罫線６８で区切られて設けられている。折罫線４６，６８には、切断可能な切込線が設けられている。
【００１７】
側面１６の中央には、略Ｓ字形の指押し込み用破断線４８が設けられている。指押し込み用破断線４８は、Ｓ字の中心にあり変曲点を中心部４８ａとする点対称形状である。指押し込み用破断線４８は、側面１６の長辺である折罫線２４，２６に対して平行な方向にＳ字の縦方向を一致させて設けられ、中心部４８ａが側面１６の中心に設けられている。Ｓ字の湾曲した部分の内側は、廃棄する際に指を押して指押し込み用破断線４８を切断する押込部５０，５２となり、折罫線４２に近い方が押込部５０で、遠い方が押込部５２である。指押し込み用破断線４８は中心部４８ａを中心にする点対称形状であるため、押込部５０，５２は同じ形状で同じ大きさであり、中心部４８ａから端部４８ｂ，４８ｃまでの長さは等しく、折罫線４２から端部４８ｂまでの長さと、折罫線６４から端部４８ｃまでの長さは等しい。また、指押し込み用破断線４８の端部４８ｂ，４８ｃ同士の間隔は、側面１６の短辺である折罫線４２，６４よりもわずかに長く設けられている。
【００１８】
指押し込み用破断線４８の、折罫線４２に近い方の端部４８ｂには、廃棄用破断線５４が連続して設けられている。廃棄用破断線５４は、指押し込み用破断線４８の端部４８ｂから、折罫線４２と折罫線２６が交差する角部に達する直線であり、小形のＹ字形の切断線が所定間隔で並べられたジッパー線で形成されている。廃棄用破断線５４の、端部４８ｂに近い位置には、廃棄用折曲線５６が交差して設けられている。廃棄用折曲線５６は、折罫線４２と折罫線２４が交差する角部近傍に達する直線であり、この角部を２等分するものである。廃棄用折曲線５６は、直線の短い切込線が比較的長い所定間隔で並べられたミシン線で形成されている。
【００１９】
指押し込み用破断線４８の、折罫線６４に近い方の端部４８ｃには、廃棄用破断線５８が連続して設けられている。廃棄用破断線５８は、指押し込み用破断線４８の端部４８ｃから、折罫線６４と折罫線２４が交差する角部に達する直線であり、小形のＹ字形の切断線が所定間隔で並べられたジッパー線で形成されている。廃棄用破断線５８の、端部４８ｃに近い位置には、廃棄用折曲線６０が交差して設けられている。廃棄用折曲線６０は、折罫線６４と折罫線２６が交差する角部近傍に達する直線であり、この角度を２等分するものである。廃棄用折曲線６０は、直線の短い切込線が比較的長い所定間隔で並べられたミシン線で形成されている。
【００２０】
側面１８の、側面１６の折罫線４２に隣接する端部には、包装箱１０の組立状態で端面４０の裏面に糊付けされる矩形の糊付片７０が折罫線７２で区切られて設けられている。側面１８の、折罫線７２と反対側の端部にも、包装箱１０の組立状態で端面６２の裏面に糊付けされる矩形の糊付片７４が折罫線７６で区切られて設けられている。
【００２１】
側面２０の、側面どうしの連接方向に対して直角な端部には、他部材が設けられていない。
【００２２】
糊付片２２には、一対の開封用破断線７８が設けられている。開封用破断線７８は、糊付片２２の、側面どうしの連接方向に対して直角な端部２２ｂの途中から、折罫線３０に対して平行な側縁部２２ａに達して設けられ、側縁部２２ａに交差する部分は、くの字に曲げられて側縁部２２ａに対して略直角に位置する直線となっている。開封用破断線７８はジッパー線で形成され、側縁部２２ａに対して略直角に位置する直線はミシン線で形成されている。側縁部２２ａの、一対の開封用破断線７８で囲まれた部分は、開封する時に保持する摘み部８０となる。側縁部２２ａは、開封用破断線７８と交差する角部が面取りされ、摘み部８０が保持しやすくされている。
【００２３】
次に、この実施形態の包装箱１０の組立方法の一例について説明する。なお、ここでは図４が包装箱１０の箱体形成片１２の表面を見たものであり、箱体形成片１２の表面が凸になる折り方を正折り、そして裏面が凸になる折り方を逆折りと称する。
【００２４】
糊付片３２，３６，７０，７４の表面に糊８２を塗布する。折罫線２４，２６を９０°に正折りし、側面１６に対して側面１４，１８をほぼ直角にする。折罫線３４，７２を９０°に正折りして、側面１４，１８に対して糊付片３２，７０をそれぞれ直角にする。折罫線４２を９０°に正折りして、側面１６に対して端面４０を直角にし、これにより端面４０の裏面が糊８２により糊付片３２，７０の表面に糊付けされ、一方の端面部が形成される。次に、折罫線３８，７６を９０°に正折りして、側面１４，１８に対して糊付片３６，７４をそれぞれ直角にする。折罫線６４を９０°に正折りして、側面１６に対して端面６２を直角にし、これにより端面６２の裏面が糊８２により糊付片３６，７４の表面に糊付けされ、他方の端面部が形成され矩形の箱体となる。
【００２５】
この状態で収容物を中に入れる。そして、折罫線４６，６８を９０°に正折りして、端面４０，６２に対してフラップ４４，６６をそれぞれ９０°に正折りし、折罫線２８で側面２０を９０°に正折りし、糊付片２２の開封用破断線７８と側縁部２２ａの間の部分の裏面に糊８４を塗布する。さらに、糊付片２２を折罫線３０で正折りし、糊付片２２を側面１４表面に重ねて、糊８４により糊付けして封止する。組み立てられ封止された包装箱１０は、側面１６が下に位置する底面となり、側面２０が上に位置する天面となる。なお、箱体形成片１２を組み立てる順番はこれ以外でもよく、適宜変更可能である。
【００２６】
次に、この実施形態の包装箱１０の使用方法について説明する。収容物を取り出す時は、糊付片２２の摘み部８０を保持して引き上げ、開封用破断線７８を切断して糊付片２２を分割して開封する。糊付片２２の糊付が解除され、側面２０が開かれた開口部から収容物を取り出す。折罫線２８，４６，６８は、切断可能な切込線が設けられているため、側面２０やフラップ４４，６６を切り離して、底面である側面１６を、側面１４，１８、端面４０，６２が囲んで形成されるトレーにして使用してもよい。
【００２７】
収容物を取り出した後、包装箱１０を破棄するときは、図１、図２に示すように、押込部５０，５２を、両手の指で押し込む。なお、ここでは押込部５２よりも押込部５０が上にくるように保持しているが、逆でもよい。押込部５０，５２を押し込むと、指押し込み用破断線４８が切断され、押込部５０，５２は互いに反対方向に突出する突起状に切り残される。さらに押し込みながら押込部５０，５２を左右に引いていくと、指押し込み用破断線４８に連続する廃棄用破断線５４，５８が切断され、側面１６は対角線に沿うように２分割され、一方には押込部５０が包装箱１０内で突出するように設けられ、他方には押込部５２が包装箱１０内で突出するように設けられる。
【００２８】
指押し込み用破断線４８を分割すると、箱体形成片１２の厚み方向と直交する端面が露出され、押込部５０の、端部４８ｂに位置する部分を端面５１とし、押込部５２の、端部４８ｃに位置する部分を端面５３とする。側面１６が分割されると、側面１４，１８、端面４０，６２による矩形の形状維持機能が解除される。これにより、図２において、左右の指が上下に移動するように折り畳まれ、押込部５０が押込部５２の下にくるようにする。この状態で、廃棄用折曲線５６，６０が逆折りされながら、折罫線３４，７６が二つ折りされ、折罫線３８，７２が１８０°に開かれ、図３に示すような平坦な折り畳み状態となる。この操作を左右の指を押込部５０，５２に当てたままワンタッチで行うことができる。
【００２９】
折り畳み状態では、押込部５０，５２が折罫線４２、６４の長さ分互いに近づいて通過し、押込部５０の端面５１が、押込部５２の端面５３に一致し、互いに対面する。２分割された側面１６は、互いに平行に重ねられるが、ブランクシートの弾発力により、折罫線２４，２６が各々わずかに開き、折罫線２４，２６から離れるに従い側面１８、側面１４から離れる方向に傾斜し、押込部５０，５２が交差し、端面５１と端面５３が係止され、折罫線２４，２６が一定以上に大きく開くことを防ぐ。これにより、平坦な折り畳み状態が維持される。廃棄用折曲線５６，６０は、短い切込線が比較的長い所定間隔で並べられたミシン線で形成され、二つ折りした時に反発を生むように設定され、包装箱１０が元の形状に戻る方向に付勢する。しかし、押込部５０，５２は、包装箱１０が戻る方向に交差する端面５１，５３で対面して係止されているため、端面５１，５３同士が押し付けられて確実に係止され、外れることがない。また、指押し込み用破断線４８の端部４８ｂ，４８ｃには、廃棄用破断線５４，５８との間に切り残し部が位置し、指押し込み用破断線４８と廃棄用破断線５４，５８を切断した時に切り残し部の跡である小さい突起が突出して形成され、この突起同士が係合し、より確実に係止される。
【００３０】
この実施形態の包装箱１０によれば、使用後は簡単な操作で折り畳んでコンパクトにして廃棄処分や資源回収をすることができる。廃棄のための折り畳み操作をするときは、押込部５０，５２を指で押すだけの簡単な操作により、側面１６を指押し込み用破断線４８と廃棄用破断線５４，５８で切断して形状維持機能を解除し、押込部５０，５２を押しながら箱体を畳むことによりワンタッチで平坦に折り畳むことができる。そして、折り畳んだ状態で押込部５０，５２が、包装箱１０が元の形状に戻る方向に交差する端面５１，５３で対面して係止され、包装箱１０が元の形状に戻ることを防ぎ、平坦な折り畳み状態を維持することができる。これにより、廃棄処分や資源回収をする場合の搬送処理も容易に行うことができる。廃棄用折曲線５６，６０は、二つ折りした時に反発を生むように設定され、押込部５０，５２が当接する方向に付勢するため、強い力で当接させて係止し、外れることがない。また、指押し込み用破断線４８と廃棄用破断線５４，５８を切断した時に切り残し部を切断して形成された突起同士が係合し、より確実に係止される。また、包装箱１０は組立工程が簡単であり、自動包装装置に対応することができ、生産効率が良い。
【００３１】
なお、この発明は上記実施形態に限定されるものではなく、箱体形成片の、側面や端面の配置や連接する順番は自由に変更可能である。指押し込み用破断線と廃棄用破断線は、底面以外の側面等に設けられてもよい。廃棄用折曲線は、上記のような反発力を生む間隔に設けられたミシン線以外でもよく、単なる筋でもよい。
【符号の説明】
【００３２】
１０  包装箱
１２  箱体形成片
１４，１６，１８，２０  側面
２２，３２，３６，７０，７４  糊付片
４８  指押し込み用破断線
４８ａ  中心部
４８ｂ，４８ｃ  端部
５０，５２  押込部
５１，５３  端面
５４，５８  廃棄用破断線
５６、６０  廃棄用折曲線
【図１】
0003199816.tif 000003
【図２】
0003199816.tif 000004
【図３】
0003199816.tif 000005
【図４】
0003199816.tif 000006